(57)【要約】      （修正有）【課題】安価で構造的にもシンプルな誰が使用しても、簡便に表示パネルやボード板本体の高さ位置を可変調整できる組立式の電子ボード用汎用スタンドを提供する。【解決手段】移動用のキャスター１を取付けた左右一対のベースフレーム２にアルミフレームの構造体からなるスタンド支柱３と横架フレーム４を固着させたスタンド本体と、電子ボードＡの表示パネルや筆記ボード板本体をスタンド支柱３に固定する為の第１の掛止機構７と高さを可変調整する為の第２の掛止機構８を有する枠体からなり、横架フレーム４中間部には、複数の丸パイプを梯子状に両サイドを挟持溶着させた高さ調整金具６を定着させ、左右スタンド支柱３の前面側には、落下の防止と上下のスライドを自在に保持する為のガイドレール機構を付設させた枠体受け金具９を装着させる構造とする事。【選択図】図１
0003183704.tif 000002
【実用新案登録請求の範囲】
【請求項１】
移動用のキャスターを取付けた左右一対のベースフレームにアルミフレームの構造体からなるスタンド支柱と横架フレームを固着させたスタンド本体と、電子ボードの表示パネルや筆記ボード板本体をスタンド支柱に固定する為の第１の掛止機構と高さを可変調整する為の第２の掛止機構を有する枠体からなり、横架フレーム中間部には、複数の丸パイプを梯子状に左右の枠で挟持溶着させた高さ調整金具を定着させ、左右スタンド支柱の前面側には、落下の防止と上下のスライドを自在に保持する為のガイドレール機構を付設させた枠体受け金具を装着させることを構造とする電子ボード用汎用スタンド。
【考案の詳細な説明】
【技術分野】
【０００１】  本考案は、電子黒板やインタラクティブボードなどのいわゆる電子ボードと呼ばれる事務什器を設置して、表示パネルや筆記ボード板本体の高さを手動で安全に可変調整できる組立式の汎用スタンドに関するものである。
【背景技術】
【０００２】  従来、学校教育機関や学習塾、オフィスでのプレゼンテーションなどで広く利用されている電子黒板やインタラクティブボード等は、例えば特許文献１に記載されているように表示パネルや筆記ボード板本体の両サイドに取付け穴の付いた支持枠を付設し、移動式のＴ字型脚支柱側面の任意の位置に設けた貫通孔に、取付けボルトを差し込み支持枠ごと電子ボード本体を締結固定させる構造が開示されている。【０００３】  又、特許文献２に記載されているように、黒板を昇降可能に保持する昇降枠体に取付けられたバランススプリング機構により、黒板をその重力に抗して吊り下げ保持させて、この黒板を力学的平衡により上下任意の位置で停止させ、その停止位置で手動式ブレーキ装置により上下動を規制し、そのブレーキ装置の解除操作によって黒板を任意の位置で力学的平衡を保ちながら昇降できる構造を開示している。
【先行技術文献】
【特許文献】
【０００４】
【特許文献１】特開平０５−００７２６６号公報
【特許文献２】特開２００８−１１４５３７号公報
【考案の概要】
【考案が解決しようとする課題】
【０００５】  しかしながら、特許文献１に開示されている構造では、表示パネルや筆記ボード板本体の設置位置の高さが固定されてしまう為、大人から子供までの身長の高低の異なる人が利用した場合、使用する場所や目的によっては、設置位置の高さ調整をする必要が生じる。【０００６】  又、特許文献２に開示されている構造では、バランススプリング機構を利用して表示パネルや筆記ボード板本体の高さを任意の位置で可変調整できるが、構造的に複雑な機構となる為、全体質量が重くなるだけでなく、コスト的に高価なものになってしまう。【０００７】  そこで本考案は、上記の課題を勘案し、安価で構造的にもシンプルな誰が使用しても、簡便に表示パネルやボード板本体の高さ位置を可変調整できる組立式の電子ボード用汎用スタンドを提供しようとするものである。
【課題を解決するための手段】
【０００８】  本考案の電子ボード用汎用スタンドは、移動用のキャスターを取付けた左右一対のベースフレームにアルミフレームの構造体からなるスタンド支柱と横架フレームを固着させたスタンド本体と、電子ボードの表示パネルや筆記ボード板本体をスタンド支柱に固定する為の第１の掛止機構と高さを可変調整する為の第２の掛止機構を有する枠体からなり、横架フレーム中間部には、複数の丸パイプを梯子状に左右の枠で挟持溶着させた高さ調整金具を定着させ、左右スタンド支柱の前面側には、落下の防止と上下のスライドを自在に保持する為のガイドレール機構を付設させた枠体受け金具を装着させる構造とする事。
【考案の効果】
【０００９】  本考案の効果として、スタンド支柱に電子ボードを掛止固定させた後でも、複数段の梯子状のパイプに電子ボード本体に取付けた枠体ごと掛止させて高さを調整する構造の為、誰でも簡便に手動で任意の高さ調整に可変する事ができ、誤って高さ調整時の引っ掛けを外してしまっても左右のスタンド支柱に装着した枠体受け金具に係止固定させている為、ガイドレール機構のスライド下限位置でストップがかかり落下防止となる。又、全体の構造がシンプルな為、製作コストの低廉化を図ることができ、さらに各々の部材ごとに分けて組立式にする事が可能な為、納入設置が非常に容易である。
【図面の簡単な説明】
【００１０】
【図１】本考案の電子ボード用汎用スタンドの背面斜視図。
【図２】本考案の電子ボード用汎用スタンドの掛止機構と高さ調整金具の説明図。
【図３】本考案の電子ボード用汎用スタンドの落下防止機構を示す構造組立説明図。
【図４】本考案にプロジェクターを設置した場合の背面斜視拡大図。
【考案を実施するための形態】
【実施例】
【００１１】  本考案の実施例を図に基づいて説明する。図１は、電子ボードＡ本体を本考案のスタンドに設置した場合の背面斜視図である。移動用のキャスター１を取付けた左右一対のベースフレーム２にアルミフレームの構造体からなるスタンド支柱３を各々立設固定させ該支柱間に同じ構造体の横架フレーム４を接続させ、該横架フレーム４中間部には、複数の丸パイプを梯子状に左右の枠で挟持溶着させた高さ調整金具６を添設固定させ、左右スタンド支柱３には、落下の防止と上下のスライドを自在に保持する為のガイドレール機構を付設させた枠体受け金具９を装着させている。電子ボードＡ背面には、鉤状に形成してスタンド支柱３に装着させた枠体受け金具９に固定する為の第Ｉの掛止機構７と高さ調整金具に掛止させて高さを可変調整する為の第２の掛止機構８を有する枠体を取付けている。【００１２】  スタンド支柱３と横架フレーム４のアルミフレーム構造体は角型形状で各４面長手方向センターに溝を有し、溝底面には任意の位置に螺合用のネジ山を立てる事により、締結用貫通孔を設けたＬ型のブラケットをスタンド支柱と横架フレームの溝に入れ込み堅牢に接続固定することができる。又、前記溝をモールカバーで被うことによってデザイン的に美観がよくなるだけでなく電源等の配線を表面に出すことなくすっきりと溝に隠す事も可能である。【００１３】  図２は本考案の電子ボードＡ背面に取付けた枠体の掛止機構と高さ調整金具６の説明図である。左右支柱スタンド３に接続した横架フレーム４の中間部に複数の丸パイプを梯子状に左右の枠で挟持溶着させた高さ調整金具６の先端上部を掛止状に曲げ前記横架フレーム４に添設固定する。電子ボードＡ背面には、鉤状に形成した第１の掛止機構７と第２の掛止機構８を有する枠体を取付け電子ボードＡ本体ごと左右支柱スタンド３の枠体受け金具９に第１の掛止機構７で固定し第２の掛止機構８で高さ調整金具６の梯子状のパイプの任意の高さに支承し高さを調整する。【００１４】  電子ボードＡ背面に取付ける枠体の左右の縦枠５ａには、Ｌ型に折曲させたアングルを用い、電子ボードＡ背面側との接地面には複数個の取付用貫通孔を設け、立上げ面には縦枠５ａとの接続孔と鉤状の切欠きと固定用の円弧状長穴貫通孔を設けて第１の掛止機構７とする。上下の横枠５ｂには、コの字状に曲げたアングル片側先端を内側に折り曲げ、反対側先端を外側に折り曲げ取付用の貫通孔を複数個設け、さらに両サイドを裏側にナットを溶着させた貫通孔を有する取付けプレートで塞ぎ左右縦枠５ａとの接続固定を可能とさせる。又、上下の横枠５ｂに縦方向に２本の補強フレーム５ｃを取付け、該補強フレーム５ｃ間に鉤状の掛止機構を有するＣ型のアングルを横架固定させて第２の掛止機構８とする。このことにより、電子ボードＡ背面に取付けた枠体ごとスタンド支柱３に装着させている枠体受け金具９に掛止固定し上下の高さを可変させる事が可能となる。【００１５】  図３は本考案の電子ボード用汎用スタンドの落下防止機構を示す説明図である。落下防止金具を有する枠体受け金具９は、スタンド支柱３両前面側のアルミフレーム構造体の溝に結持用のネジ山を立てておき、複数個の接続用スライドランナー９ｃを収めたＣ型レール９��をコの字状の上下を塞いだアタッチメント金具９ａに内設固定させた形状で該溝に取付け、さらにＣ型アングル９ｄ背面に複数個の結持用貫通孔と側面には裏ナットを溶着させた貫通孔を設ける。これにより、スタンド支柱３にアタッチメント金具９ａを介して取付けられたスライドランナー９ｃとＣ型アングル９ｄを結持し枠体受け金具９がスタンド支柱３に付設させた状態となり、さらに電子ボードＡに取付けた枠体を枠体受け金具９のＣ型アングル９ｄへの掛止固定が可能となる。又、枠体受け金具９のＣ型レール９ｂに収められたスライドランナー９ｃは、上下を塞いだアタッチメント金具９ａに内設固定されている為、上下のガイドと落下防止の役目を兼ねているがより安全の為Ｃ型アングル９ｄの縦方向に長孔を設けボルトを差し込んで支柱スタンド３の溝に固定することによって、二重に落下防止をすることが可能となる。【００１６】  図４は、本考案の電子ボード用汎用スタンドにプロジェクターＢを設置した場合の背面斜視拡大図である。電子ボードＡ背面に取付けた枠体の上下横枠５ｂに渡した２本の補強フレーム５ｃ上部間に複数個の取付孔を有するベース板１０を横架し、接続用ナットを設けた縁を有する箱状の囲いの中にパイプを上下に貫通溶着させたパイプ受け金具を取付け  、該パイプ受け金具に上部にプロジェクター取付け金具１１を溶着させたひと回り細いパイプを嵌入する。又、該パイプには、複数個のネジ山を上下に切って高さ調整用の取付孔を設けておく。プロジェクター取付け金具１１は、上下にコの字状に曲げた金具の左右に立上げ面を設けて複数個の貫通孔に取付け用ナットを溶着させる。さらに左右に横方向に広げた長孔を設けた接続板１１ａを前記プロジェクター取付け金具１１の貫通孔を利用して取付ける。このことにより、前記ベース板１０と前記パイプ受け金具でプロジェクターＣの上下の高さと左右の設置位置を調整させることが可能となるだけでなく、プロジェクター取付け金具１１と接続板１１ａでもプロジェクターＢ本体の取付位置の上下左右を調整することが可能となる為、様々なプロジェクターメーカーの異なった寸法仕様を有する機器に対応させることが可能となる。又、プロジェクター取付け金具を溶着させたパイプを一番低い位置に下ろして９０度回転させれば、部屋からの移動の際ドアー入口左右上部に当たることなくスムーズに移動させることが可能となる。
【符号の説明】
【００１７】１．    キャスター
２．    ベースフレーム
３．    スタンド支柱
４．    横架フレーム
５ａ．  縦枠
５ｂ．  横枠
５ｃ．  補強フレーム
６．    高さ調整金具
７．    第１の掛止機構
８．    第２の掛止機構
９．    枠体受け金具
９ａ．  アタッチメント金具
９ｂ．  Ｃ型レール
９ｃ．  スライドランナー
９ｄ．  Ｃ型アングル、
１０．  ベース板
１１．  プロジェクター取付け金具
１１ａ．接続板
Ａ．    電子ボード
Ｂ．    プロジェクター
【図１】
0003183704.tif 000003
【図２】
0003183704.tif 000004
【図３】
0003183704.tif 000005
【図４】
0003183704.tif 000006